(57)【要約】  本発明は、（１）約５０〜約１５００ｍ２／ｇの表面積を有する多孔質構造、（２）約１〜約２００ｎｍの孔直径、（３）約０．３〜約１．５ｃｍ３／ｇの孔容積及び（４）１００度を超える表面接触角の顕著な疎水性を備えた多孔質材料を含む悪臭制御組成物を提供する。悪臭制御組成物を動物用トイレ砂として又は他の動物用トイレ砂と一緒に使用すると、動物の排泄物によってもたらされる臭気を除去するためにより効果的な制御を提供することができる。【選択図】  図１
2013544125.tif 000002
【特許請求の範囲】
【請求項１】
（１）約５０〜約１５００ｍ２／ｇの表面積を有する多孔質構造、（２）約１〜約２００ｎｍの孔直径、（３）約０．３〜約１．５ｃｍ３／ｇの孔容積及び（４）１００度を超える表面接触角の顕著な疎水性を備えた多孔質材料を含む、悪臭制御組成物。
【請求項２】
１種又は複数の吸着材料を更に含む、請求項１に記載の悪臭制御組成物。
【請求項３】
吸着材料が、活性炭、重曹及びこれらの組み合わせからなる群より選択される、請求項１に記載の悪臭制御組成物。
【請求項４】
１種又は複数の動物用トイレ砂と、
（１）約５０〜約１５００ｍ２／ｇの表面積を有する多孔質構造、（２）約１〜約２００ｎｍの孔直径、（３）約０．３〜約１．５ｃｍ３／ｇの孔容積及び（４）１００度を超える表面接触角の顕著な疎水性を備えた１種又は複数の多孔質材料と
を含む、動物用トイレ砂。
【請求項５】
動物用トイレ砂が、粘土、木材、紙、穀類、トウモロコシ穂軸、種及びこれらの組み合わせからなる群より選択される、請求項４に記載の動物用トイレ砂。
【請求項６】
動物用トイレ砂及び多孔質材料のうちの少なくとも１つが活性炭を更に含む、請求項４に記載の動物用トイレ砂。
【請求項７】
活性炭が、動物用トイレ砂及び多孔質材料の約０．０１重量％〜約６重量％を構成する、請求項６に記載の動物用トイレ砂。
【請求項８】
動物用トイレ砂及び多孔質材料のうちの少なくとも１つが重曹を更に含む、請求項４に記載の動物用トイレ砂。
【請求項９】
重曹が、動物用トイレ砂及び多孔質材料の約０．０１重量％〜約６重量％を構成する、請求項８に記載の動物用トイレ砂。
【請求項１０】
動物用トイレ砂及び多孔質材料のうちの少なくとも１つが、１種又は複数の膨張性粘土の部分又は完全被覆を更に含む、請求項４に記載の動物用トイレ砂。
【請求項１１】
膨張性粘土がベントナイトである、請求項１０に記載の動物用トイレ砂。
【請求項１２】
膨張性粘土が、動物用トイレ砂及び多孔質材料の約５重量％〜約４０重量％を構成する、請求項１０に記載の動物用トイレ砂。
【請求項１３】
約５〜約９５％の動物用トイレ砂及び９５％〜約５％の多孔質材料を含む、請求項４に記載のトイレ砂。
【請求項１４】
膨張性粘土、非膨張性粘土、シリカゲル及びこれらの組み合わせからなる群より選択される、請求項４に記載の動物用トイレ砂。
【請求項１５】
１種又は複数の動物用トイレ砂を、（１）約５０〜約１５００ｍ２／ｇの表面積を有する多孔質構造、（２）約１〜約２００ｎｍの孔直径、（３）約０．３〜約１．５ｃｍ３／ｇの孔容積及び（４）１００度を超える表面接触角の顕著な疎水性を備えた１種又は複数の多孔質材料と合わせることを含む、動物用トイレ砂を作製する方法。
【請求項１６】
動物用トイレ砂を含有するのに適しており、動物の排泄物を排泄するときに動物が使用するのに適している装置と、
１種又は複数の動物用トイレ砂並びに（１）約５０〜約１５００ｍ２／ｇの表面積を有する多孔質構造、（２）約１〜約２００ｎｍの孔直径、（３）約０．３〜約１．５ｃｍ３／ｇの孔容積及び（４）１００度を超える表面接触角の顕著な疎水性を備えた１種又は複数の多孔質材料を含む動物用トイレ砂と
を具備する、動物用トイレボックス。
【請求項１７】
請求項１に記載の悪臭制御組成物、並びに（１）悪臭制御組成物を含有するのに適しており、動物の排泄物を排泄するときに動物が使用するのに適している装置、（２）悪臭制御組成物に置かれた動物の排泄物を取り扱うのに適した装置、（３）異なる動物用トイレ砂、（４）芳香剤、（５）吸着材料、（６）動物の排泄物を管理するための悪臭制御組成物の使用方法の説明書、（７）多様な状況下で臭気を制御するための悪臭制御組成物の使用方法の説明書及び（８）悪臭制御組成物の処分方法の説明書の１つ又は複数を、キット構成要素として適切となるように、単一包装内の別々の容器又は仮想包装内の別々の容器に含む、動物の排泄物を管理するために有用な悪臭制御組成物を含有するのに適したキット。
【請求項１８】
請求項４に記載の動物用トイレ砂、並びに（１）動物用トイレ砂を含有するのに適しており、動物の排泄物を排泄するときに動物が使用するのに適している装置、（２）動物用トイレ砂に置かれた動物の排泄物を取り扱うのに適した装置、（３）異なる動物用トイレ砂、（４）芳香剤、（５）吸着材料、（６）動物の排泄物を管理するための動物用トイレ砂の使用方法の説明書、（７）多様な状況下で臭気を制御するための動物用トイレ砂の使用方法の説明書及び（８）動物用トイレ砂の処分方法の説明書の１つ又は複数を、キット構成要素として適切となるように、単一包装内の別々の容器又は仮想包装内の別々の容器に含む、動物の排泄物を管理するために有用な動物用トイレ砂を含有するのに適したキット。
【請求項１９】
（１）動物の尿及び糞便などの動物の排泄物を管理すること、（２）臭気を制御すること、（３）水分を制御すること、（４）微生物を制御すること及び（５）粉塵を制御することの１つ又は複数のために請求項１に記載の悪臭制御組成物を使用することについての情報又は説明を伝達する手段であって、情報又は説明を含有する文書、デジタル記憶媒体、光学記憶媒体、音声説明又は視覚表示を含む、手段。
【請求項２０】
ウエブサイトにおける表示、視覚表示広告掲示用柱、パンフレット、製品ラベル、包装添付文書、広告、ちらし、公表、音声テープ、ビデオテープ、ＤＶＤ、ＣＤ−ＲＯＭ、コンピュータ読取用チップ、コンピュータ読取用カード、コンピュータ読取用ディスク、ＵＳＢドライバ、ファイヤーワイヤ（ＦｉｒｅＷｉｒｅ）デバイス、コンピュータメモリ及びこれらの任意の組み合わせからなる群より選択される、請求項１９に記載の手段。
【請求項２１】
（１）動物の尿及び糞便などの動物の排泄物を管理すること、（２）臭気を制御すること、（３）水分を制御すること、（４）微生物を制御すること及び（５）粉塵を制御することの１つ又は複数のために、請求項４に記載の動物用トイレ砂を使用することについての情報又は説明を伝達する手段であって、情報又は説明を含有する文書、デジタル記憶媒体、光学記憶媒体、音声説明又は視覚表示を含む、手段。
【請求項２２】
ウエブサイトにおける表示、視覚表示広告掲示用柱、パンフレット、製品ラベル、包装添付文書、広告、ちらし、公表、音声テープ、ビデオテープ、ＤＶＤ、ＣＤ−ＲＯＭ、コンピュータ読取用チップ、コンピュータ読取用カード、コンピュータ読取用ディスク、ＵＳＢドライバ、ファイヤーワイヤ（ＦｉｒｅＷｉｒｅ）デバイス、コンピュータメモリ及びこれらの任意の組み合わせからなる群より選択される、請求項２１に記載の手段。
【請求項２３】
請求項１に記載の悪臭制御組成物を収容するのに適した少なくとも１つの材料と、材料に貼り付けられたラベルとを含む包装であって、ラベルは、包装が悪臭制御組成物を収容していることを示す、１つ若しくは複数の語、絵、図案、頭字語、標語、語句又は他の模様、又はこれらの組み合わせを含む、包装。
【請求項２４】
請求項１に記載の１種又は複数の悪臭制御組成物を更に含む、請求項２３に記載の包装。
【請求項２５】
少なくとも１つの窓を更に含む、請求項２３に記載の包装。
【請求項２６】
請求項４に記載の動物用トイレ砂を収容するのに適した少なくとも１つの材料と、材料に貼り付けられたラベルとを含む包装であって、ラベルは、包装が動物用トイレ砂を収容していることを示す、１つ若しくは複数の語、絵、図案、頭字語、標語、語句又は他の模様、又はこれらの組み合わせを含む、包装。
【請求項２７】
請求項４に記載の１種又は複数の動物用トイレ砂を更に含む、請求項２６に記載の包装。
【請求項２８】
少なくとも１つの窓を更に含む、請求項２６に記載の包装。
【請求項２９】
動物の排泄物を請求項１に記載の少なくとも１つの悪臭制御組成物と接触させるステップを含む、動物の排泄物を管理する方法。
【請求項３０】
悪臭制御組成物を処分するステップを更に含む、請求項２９に記載の方法。
【請求項３１】
動物の排泄物を請求項４に記載の少なくとも１つの動物用トイレ砂と接触させるステップを含む、動物の排泄物を管理する方法。
【請求項３２】
動物用トイレ砂を処分するステップを更に含む、請求項３１に記載の方法。
【請求項３３】
請求項１に記載の悪臭制御組成物を動物の排泄物に近接して置くステップを含む、動物の排泄物を管理する方法。
【請求項３４】
悪臭制御組成物を処分するステップを更に含む、請求項３３に記載の方法。
【請求項３５】
悪臭物質を請求項１に記載の少なくとも１つの悪臭制御組成物に曝露するステップを含む、悪臭を制御する方法。
【請求項３６】
動物の排泄物を請求項１に記載の少なくとも１つの悪臭制御組成物に曝露するステップを含む、動物の排泄物の悪臭を制御する方法。
【請求項３７】
動物の排泄物を請求項４に記載の少なくとも１つの動物用トイレ砂に曝露するステップを含む、動物の排泄物の悪臭を制御する方法。
【発明の詳細な説明】
【発明の詳細な説明】
【０００１】
［関連出願の相互参照］
［0001］本出願は、２０１０年１０月２７日出願の米国特許仮出願第６１/４５５８３７号に基づく優先権を主張し、その開示はこの参照により本明細書に組み込まれる。
【０００２】
［発明の背景］
［発明の分野］
［0002］本発明は、一般に悪臭制御、特に悪臭制御組成物及びそのような悪臭制御組成物を含む動物用トイレ砂に関する。
【０００３】
［関連技術の説明］
［0003］悪臭管理は、多くの分野、例えば、ゴミ及び他の廃棄物、動物小屋、並びに動物用トイレ砂において問題である。トイレボックス管理の際の効果的な悪臭制御は、特定のトイレ砂を受け入れるかどうかに関連する消費者の主な動機の１つである。最近のトイレボックス臭気制御策は、トイレ砂を詰める前に強力な芳香剤を適用すること及び／又は動物の使用後にトイレボックスに脱臭剤を噴霧することに依存している。これらの手法は悪臭をマスキングするが、一部の消費者から強力すぎる又は不快すぎると考えられる可能性がある。芳香剤がネコなどの動物により否定的に感じられる可能性があり、それによってネコがトイレボックスを避けるようになるということも懸念材料である。
【０００４】
[0004]現在まで、多様な悪臭中和剤（「ＭＯＣ」）技術が、悪臭を伴う様々な産業（例えば、養豚場、牛農場、養鶏場、廃棄物埋立地など）において提案され、使用されてきた。芳香剤によるマスキング機構の他に、様々なＭＯＣ技術は、その作用機構に基づいて下記に記載するように分類することができる。
【０００５】
［0005］生物学的機構を介して作用するＭＯＣ。悪臭は、通常、細菌による有機廃棄物の部分的な酸化により生成されることが知られている。酸化が完了すると（最終産物ＣＯ２及びＨ２Ｏ）、悪臭はなくなる。生物学的ＭＯＣは、通常、酵素及び細菌を伴う。細菌株は、有機廃棄物における特定の化学単位を攻撃する特定の酵素を産生する。一般に、この機構は遅効性である。
【０００６】
[0006]物理学的機構を介して作用するＭＯＣ。この分類では２つのサブクラスがある。（１）吸着を介して作用するＭＯＣ−これは、物理的なファンデルワールス力の結果によるＭＯＣ分子への悪臭分子の物理的吸着である。（２）物理吸着又は吸収を介して作用するＭＯＣ−これは、ＭＯＣ製品の内部分子構造への悪臭物質の物理的な浸透である。
【０００７】
[0007]麻酔を介して作用するＭＯＣ。これらのＭＯＣは、良いにおいであれ悪いにおいであれ、においが知覚されないように、嗅覚を鈍感にする。この機構は、「臭気疲労による脱臭」としても知られている。化学的機構を介して作用するＭＯＣ。悪臭をＭＯＣと化学的反応させることができる場合、異なるにおいがする化学的に異なる化合物になる。この分類では幾つかのサブクラスがある。例えば、（１）結合（化学吸着）を介して作用するＭＯＣ−化学吸着は、悪臭分子とＭＯＣ製品の分子との間で電子の交換又は共有を伴い、時々、このことは悪臭物の蒸気圧に影響を与える。（２）酸化還元を介して作用するＭＯＣ−酸化還元は、塩素、次亜塩素酸ナトリウム及びカルシウム、二酸化塩素、過マンガン酸カリウム、並びに過酸化水素などの酸化剤を使用する。オゾン放射装置も、空気中の悪臭分子を酸化するために使用される。
【０００８】
[0008]反作用を介して作用するＭＯＣ。適した２つの臭気が物理的に同じ領域にあるときに生じる現象であり、全体的な臭気が増加する代わりにむしろ低減する。この方法は、無臭がもたらされると中和と呼ばれ、悪臭がより穏やかな心地よい臭気に代わると付香と呼ばれる。これは、互いのそれぞれの臭気を中和する臭気物の対であるツワーデルマーカー（Ｚｗａａｒｄｅｍａｋｅｒ）対（結合体）によって作用する。
【０００９】
[0009]前記されたように、ほとんどの市販のトイレ砂はペットの排泄物由来の悪臭をマスキングするために芳香剤を使用する。芳香剤は、トイレ砂を詰め込む前に（例えば、噴霧により若しくは物理的なブレンドとして）又は破裂性芳香剤ボール（米国特許出願公開第２００６／０１８５６０８Ａ１号）として簡単に適用される。他のＭＯＣは、トイレ砂用途での臭気制御として特許出願されている。例えば、米国特許出願公開第２００５／０００５８６９号、米国特許第５，８６０，３９１号、国際公開第１９９０／００９０９９Ａ１号パンフレット及び米国特許出願公開第２００７／００１７４５３号は、動物用トイレ砂の臭気制御のための活性炭の使用に関し、一方、米国特許第６，８９５，８９６号は、臭気制御のためのシリカゲル粒子の使用に関する。トイレ砂用途での臭気制御のための他の化合物には、重曹（米国特許第６，９５５，１３６号）、フッ化ナトリウム（米国特許第５，０９７，７９９号）、クアニジン（quanidine）塩（米国特許第４，９５７，０６３号）、ハロスルホンアミド化合物（米国特許出願公開第２００６／００７５９７５Ａ１号）、酸化剤（米国特許第５，００５，５２０号）及びホウ素含有化合物（米国特許第５，０９４，１９０号）が含まれる。それにもかかわらず、悪臭を効果的に制御する新たな組成物の継続的な必要性が存在する。
【００１０】
［発明の概要］
[0010]したがって、悪臭制御組成物を提供することが本発明の目的である。
【００１１】
[0011]動物の排泄物などの排泄物により引き起こされる悪臭の制御に有用な悪臭制御組成物を提供することが、本発明の別の目的である。
【００１２】
[0012]悪臭を制御する方法を提供することが、本発明の更なる目的である。
【００１３】
[0013]悪臭制御組成物を組み込んだ動物用トイレ砂を提供することが、本発明の別の目的である。
【００１４】
[0014]悪臭を制御するのに有用な動物用トイレ砂を製造するために有用なキットを提供することが、本発明の更なる目的である。
【００１５】
[0015]これら及び他の目的は、（１）約５０〜約１５００ｍ２／ｇの表面積を有する多孔質構造、（２）約１〜約２００ｎｍの孔径、（３）約０．３〜約１．５ｃｍ３／ｇの孔容積及び（４）１００度を超える表面接触角の顕著な疎水性を備えた１種又は複数の多孔質材料を含む悪臭制御組成物を使用して達成される。加えて、トイレ砂配合物におけるこれらの特定の多孔質材料の使用は、動物の排泄物由来の悪臭の効果的な制御を特にトイレボックスにおいて可能にする。特に、特定のサイズの孔及び孔の化学的親和性は、悪臭を引き起こす化合物の効果的なトラップとして作用する。特定の多孔質材料を組み込んだそのような動物用トイレ砂配合物は、悪臭をマスキングする強力な芳香剤又は他の悪臭反作用技術の使用を必要としない。
【００１６】
[0016]本発明の追加的で更なる目的、特徴及び利点は、当業者に容易に明らかになる。
【図面の簡単な説明】
【００１７】
【図１】[0017]  本発明の実施形態における悪臭制御組成物を示す。
【図２】[0018]  本発明の実施形態における動物用トイレ砂を示す。
【００１８】
［発明の詳細な説明］
定義
[0019]用語「動物用トイレ砂（１種又は複数）」は、動物用トイレ砂としての使用（例えば、動物の排泄物を管理すること）に適しているが、他の任意の適切な目的に使用することもできる組成物を意味する。例えば、本発明の動物用トイレ砂を使用して、化学物質の流出を吸収すること、石油流出を吸収すること、滑りやすい表面に摩擦を作り出すことなどが可能である。
【００１９】
[0020]用語「悪臭（１種又は複数）」は、任意の悪臭であるが、特に糞便及び尿などの動物の排泄物からの悪臭を意味する。
【００２０】
[0021]本明細書において表されている全ての百分率は、特に明示のない限り組成物の総重量に対する重量に基づいている。
【００２１】
[0022]全体にわたって使用されているように、範囲は、範囲内のありとあらゆる値を長々と提示して記載することを避けるために、短縮して本明細書において使用される。範囲内の任意の適切な値を、適切であれば範囲の上位値、下位値又は末端値として選択することができる。
【００２２】
[0023]本明細書及び添付の請求の範囲で使用されるとき、特に文脈から明白に示されない限り、語の単数形は複数形を含み、その逆もある。したがって、参照「ａ」、「ａｎ」及び「ｔｈｅ」は、一般に、対応する用語の複数形を含む。例えば、「多孔質材料」又は「方法」の参照は、複数のそのような「多孔質材料」又は「方法」を含む。同様に、語「含む（comprise）」、「含む（comprises）」及び「含んでいる（comprising）」は、排他的ではなく包括的に解釈されるべきである。同様に、用語「含まれる（include）」、「含んでいる（including）」及び「又は」は、全て、特にそのような構成が文脈から明白に禁止されない限り、包括的であると解釈されるべきである。本明細書で使用される場合、用語「例」は、特に用語の提示が後に続くとき、単に例示的及び説明的であり、排他的又は包括的であると考えるべきではない。
【００２３】
[0024]本明細書に開示されている組成物、製品、方法及び他の利点は、本明細書に記載されている特定の方法、プロトコール及び試薬に限定されない。それは、当業者はそれらが変わりうることを理解しているからである。更に、本明細書に使用される用語は、特定の実施態様を記載する目的のみに使用され、開示される又は主張される範囲を限定することを意図せず、実際に限定しない。
【００２４】
発明
[0025]１つの態様において、本発明は悪臭制御組成物を提供する。組成物は、（１）約５０〜約１５００ｍ２／ｇの表面積を有する多孔質構造、（２）約１〜約２００ｎｍの孔直径、（３）約０．３〜約１．５ｃｍ３／ｇの孔容積及び（４）１００度を超える表面接触角の顕著な疎水性を備えた多孔質材料を含む。本発明は、動物の排泄物などの排泄物からの悪臭を制御するため及び悪臭により特徴付けられる設備、例えば、トイレボックス、動物用敷きわら、動物小屋、貯蔵設備、浴室、体育館などにおける悪臭を制御するために有用である。
【００２５】
[0026]図１に示されているように、本発明は悪臭制御組成物１０を提供する。悪臭制御組成物１０は、（１）約５０〜約１５００ｍ２／ｇの表面積を有する多孔質構造２２、（２）約１〜約２００ｎｍの孔直径２４、（３）約０．３〜約１．５ｃｍ３／ｇの孔容積２６及び（４）１００度を超える表面接触角の顕著な疎水性を有する１種又は複数の多孔質材料２０を含む。悪臭制御組成物１０を、糞便、尿、敷きわら、小屋及び他の悪臭供給源に直接適用することができる又は近接して置くことができる。近接とは、組成物が悪臭を制御することを可能にする任意の距離である。一般に、近接は、１〜約２００センチメートル（ｃｍ）内、好ましくは約５〜約１００ｃｍ内、より好ましくは約１０〜約８０ｃｍ内である。多様な実施態様において、悪臭が全てガスである又はガスの一部である場合、ガスは、悪臭組成物を通過して、悪臭が除去される。
【００２６】
[0027]悪臭制御組成物１０は、多様なトイレ砂又は基質への組み込み又は添加を可能にする任意の色、形状及びサイズといった特定の特性を有する材料から作製することができる。例えば、悪臭制御組成物１０は、特定の基準を満たす任意の適切な粒径を有する粒子の形状でありうる。或いは、悪臭制御組成物１０は、平滑、粗い、凹状、凸状などの表面を含む多様な表面特性を有する球形、円筒形、立方形、円錐形などの形状でありうる。
【００２７】
[0028]本発明は、前記に記載された特性を有する多孔質材料が、悪臭を引き起こす化合物又は組成物と吸着及び／又は吸収機構を介して相互作用するのに特に適しているという発見に基づいている。適合させた孔を有する多孔質材料を含有する動物用トイレ砂を、ペットの排泄物由来の悪臭を制御するために有利に使用することができる。
【００２８】
[0029]一般に、前記に考察されたように、吸着機構は、固体材料（吸着剤）の表面の検体（吸着物）の結合と定義することができ、それは吸着剤の外面及び内面で生じうる。孔直径も重要であり、例えば、吸着される分子が孔を通って吸着表面に移動できるほど十分に大きい必要がある。加えて、孔径分布は、吸着の効果を決定する重要な要因である。吸着それ自体は、物理的（又は物理吸着）及び化学的（又は化学吸着）でありうる。物理吸着は、ファンデルワールス力及び／又は静電力（永久双極子間、電子間又は電子双極子間）などの相互作用を伴う。化学吸着は、検体が吸着剤表面と反応するとき、すなわち、吸着された分子が吸着剤といくらかの化学相互作用を起こすときに得られる。
【００２９】
[0030]孔容積、孔径、孔径分布、孔特性（例えば、開放孔、閉鎖孔、相互連結／貫通孔）及び比表面積などの物理的特性が異なる多孔質材料を、トイレボックスにおいて悪臭を吸着及び／又は吸収する潜在能力について試験した。特定の多孔質材料の吸着許容量が化学構造によっても影響を受けるので、試験した多孔質材料は、広範囲の化学構造、したがって多様な化学親和性及び表面エネルギーを網羅するように選択された。物理的吸着の分野における一般原則として、疎水性又は非極性材料は疎水性表面により多く誘引され、親水性又は極性材料は親水性表面により多く誘引される。更なる試験の詳細は、下記の実施例のセクションにおいて考察される。
【００３０】
[0031]ある実施態様において、悪臭制御組成物１０は、例えば香料、吸着材料、疎水性ナノゼオライト（米国特許第６，６６０，７１３号）、シリカゲル（米国特許第６，８６０，２３４号、米国特許第６，５７８，５２１号及び米国特許第６，５４３，３８５号）などの他の悪臭制御材料を、悪臭制御組成物１０に部分的又は完全に組み込んで含むこともできる。吸着材料は、活性炭、重曹又はこれらの組み合わせでありうる。ある実施態様において、吸着材料は、悪臭制御組成物の約０．５重量％〜約９９．５重量％でありうる。別の実施態様において、吸着材料は、悪臭制御組成物の約１重量％〜約１０重量％でありうる。なお、別の実施態様において、吸着材料は、悪臭制御組成物の約２重量％〜約８重量％でありうる。
【００３１】
[0032]図２に示される別の態様において、本発明は、動物用トイレ砂１００を提供する。動物用トイレ砂は、１種又は複数の動物用トイレ砂１３０及び１種又は複数の多孔質材料１１０を含む。多孔質材料１１０は、（１）約５０〜約１５００ｍ２／ｇの表面積を有する多孔質構造１２０、（２）約１〜約２００ｎｍの孔直径、（３）約０．３〜約１．５ｃｍ３／ｇの孔容積及び（４）１００度を超える表面接触角の顕著な疎水性を有する（例えば、図１に示されている）。
【００３２】
[0033]図２に更に示されているように、動物用トイレ砂１００は、動物用トイレ砂を含有するのに適しており、動物の排泄物を排泄するときに動物が使用するのに適している装置１４０に含有されうる。適切な装置１４０には、動物用トイレボックスが含まれる。装置１４０は、例えば、米国特許出願公開第２００９／０２５００１４号、米国特許出願公開第２００９／０２７２３２７号、米国特許出願公開第２００９／００００５６０号、米国特許出願公開第２００７／０２７７７４０号及び米国特許第７，６２８，１１８号に開示されているトイレボックスでありうる。装置１４０は、使用者が望む任意の適切な量の動物用トイレ砂１００を含むことができる。
【００３３】
[0034]動物用トイレ砂１３０は、動物用トイレ砂として機能する任意の適切な材料でありうる。ある実施態様において、動物用トイレ砂１３０は、１種又は複数の粘土、木材、紙、穀類、トウモロコシ穂軸、種又はこれらの組み合わせでありうる。別の実施態様において、動物用トイレ砂１３０は、膨張性粘土、非膨張性粘土、シリカゲル又はこれらの組み合わせでありうる（例えば、米国特許第６，８６０，２３４号、米国特許第６，５４３，３８５号及び米国特許第６，５７８，５２１号）。好ましい実施態様において、動物用トイレ砂は、１種又は複数の本発明の悪臭組成物及び凝集性トイレ砂、例えば米国特許第６，８８７，５７０号に開示されている凝集性トイレ砂の混合物である。
【００３４】
[0035]多孔質材料１１０をそのような他の動物用トイレ砂１３０と任意の適切な量で合わせて、混合物である動物用トイレ砂１００を製造することができる。例えば、多孔質材料１１０は、混合物の約５〜約９５％、好ましくは約１０〜約９０％で含まれうる。１つの実施態様において、混合物は、約５０％の多孔質材料１１０、及び約５０％のシリカゲル、凝集性動物用トイレ砂、非凝集性動物用トイレ砂又はこれらの組み合わせを含む。別の実施態様において、混合物は、約９０％の多孔質材料１１０及び約１０％のシリカゲルを含む。更なる実施態様において、混合物は、約７０％の多孔質材料１１０及び約３０％の凝集性トイレ砂を含む。
【００３５】
[0036]別の実施態様において、動物用トイレ砂１３０及び／又は多孔質材料１１０は、活性炭を含む。活性炭は、動物用トイレ砂１３０及び／又は多孔質材料１１０の約０．０１重量％〜約６重量％の範囲でありうる。
【００３６】
[0037]なお別の実施態様において、動物用トイレ砂１３０及び／又は多孔質材料１１０は、重曹を含む。重曹は、動物用トイレ砂１３０及び／又は多孔質材料１１０の約０．０１重量％〜約６重量％の範囲でありうる。
【００３７】
[0038]更に別の実施態様において、動物用トイレ砂１３０及び／又は多孔質材料１１０は、１種又は複数の膨張性粘土の部分又は完全被覆を更に含む。例えば、膨張性粘土はベントナイトでありうる。膨張性粘土は、動物用トイレ砂１３０及び／又は多孔質材料１１０の約５〜約４０重量％の範囲でありうる。
【００３８】
[0039]代替的な態様において、本発明は、悪臭を制御することに使用できる動物用トイレ砂を作製する方法を提供する。方法は、１種又は複数の動物用トイレ砂を、（１）約５０〜約１５００ｍ２／ｇの表面積を有する多孔質構造、（２）約１〜約２００ｎｍの孔直径、（３）約０．３〜約１．５ｃｍ３／ｇの孔容積及び（４）１００度を超える表面接触角の顕著な疎水性を備えた１種又は複数の多孔質材料と合わせることを含む。
【００３９】
[0040]多様な実施態様において、悪臭制御組成物及びトイレ砂は、悪臭制御組成物又はトイレ砂に機能性を加える化合物又は組成物などの他の成分を含有することができる。例えば、悪臭制御組成物は、界面活性剤、香料、防腐剤、抗菌薬、脱泡剤、消泡剤、殺菌剤、殺真菌剤、耐電防止剤、昆虫及び蛾駆除剤、着色剤、青味剤、酸化防止剤及びこれらの混合物からなる群より選択される成分を含有することができる又は成分と混合されうる。
【００４０】
[0041]なお別の態様において、本発明は、動物の排泄物を管理するために有用な悪臭制御組成物を含有するのに適したキットを提供する。キットは、本明細書の実施態様のいずれかに記載されている悪臭制御組成物、並びに（１）悪臭制御組成物を含有するのに適しており、動物の排泄物を排泄するときに動物が使用するのに適している装置（例えば、トイレボックス）、（２）悪臭制御組成物に置かれた動物の排泄物を取り扱うのに適した装置（例えば、トイレ砂から動物の糞便を除去するスコップ（例えば米国特許第７，５２３，９７３号）又はトイレボックス若しくは他の容器における動物用トイレ砂を整えるのに適した熊手）、（３）異なる動物用トイレ砂（例えば、悪臭制御組成物と異なる動物用トイレ砂との混合物を作り出すのに適した異なる動物用トイレ砂）、（４）芳香剤、（５）吸着材料、（６）動物の排泄物を管理するための悪臭制御組成物の使用方法の説明書、（７）多様な状況下で臭気を制御するための悪臭制御組成物の使用方法の説明書及び（８）悪臭制御組成物の処分方法の説明書（例えば、特に使用後のトイレ砂の環境に優しい処分方法）の１つ又は複数を、キット構成要素として適切となるように、単一包装内の別々の容器又は仮想包装（ｖｉｒｔｕａｌ  ｐａｃｋａｇｅ）内の別々の容器に含む。
【００４１】
[0042]更に別の態様において、本発明は、動物の排泄物を管理するために有用な動物用トイレ砂を含有するのに適したキットを提供する。キットは、本明細書の実施態様のいずれかに記載されている動物用トイレ砂、並びに（１）動物用トイレ砂を含有するのに適しており、動物の排泄物を排泄するときに動物が使用するのに適している装置（例えば、トイレボックス）、（２）動物用トイレ砂に置かれた動物の排泄物を取り扱うのに適した装置（例えば、トイレ砂から動物の糞便を除去するスコップ（例えば米国特許第７，５２３，９７３号）又はトイレボックス若しくは他の容器において動物用トイレ砂を整えるのに適した熊手）、（３）異なる動物用トイレ砂（例えば、動物用トイレ砂と異なる動物用トイレ砂との混合物を作り出すのに適した異なる動物用トイレ砂）、（４）芳香剤、（５）吸着材料、（６）動物の排泄物を管理するための動物用トイレ砂の使用方法の説明書、（７）多様な状況下で臭気を制御するための動物用トイレ砂の使用方法の説明書及び（８）動物用トイレ砂の処分方法の説明書（例えば、特に使用後のトイレ砂の環境に優しい処分方法）の１つ又は複数を、キット構成要素として適切となるように、単一包装内の別々の容器又は仮想包装内の別々の容器に含む。
【００４２】
[0043]キットが仮想包装を含む場合、キットを、１種又は複数の物理的なキット構成要素と組み合わせた仮想環境中の説明書に限定することができる。キットは、キット構成要素を多様な組み合わせ及び／又は混合物のいずれかで含有することができる。例えば、１つの実施態様において、キットは、悪臭制御組成物及び悪臭制御組成物から動物の排泄物を除去するのに適したスコップを含有する包装を含有する。１つの実施態様において、キットは、動物用トイレ砂及び動物用トイレ砂から動物の排泄物を除去するのに適したスコップを含有する包装を含有する。
【００４３】
[0044]ある態様において、本発明は、（１）動物の尿及び糞便などの動物の排泄物を管理すること、（２）臭気を制御すること、（３）水分を制御すること、（４）微生物を制御すること及び（５）粉塵を制御することの１つ又は複数のために、本明細書の実施態様のいずれかに記載された悪臭制御組成物を使用することについての情報又は説明を伝達する手段を提供し、手段は、情報又は説明を含有する文書、デジタル記憶媒体、光学記憶媒体、音声説明又は視覚表示を含む。
【００４４】
[0045]別の態様において、本発明は、（１）動物の尿及び糞便などの動物の排泄物を管理すること、（２）臭気を制御すること、（３）水分を制御すること、（４）微生物を制御すること及び（５）粉塵を制御することの１つ又は複数のために、本明細書の実施態様のいずれかに記載された動物用トイレ砂を使用することについての情報又は説明を伝達する手段を提供し、手段は、情報又は説明を含有する文書、デジタル記憶媒体、光学記憶媒体、音声説明又は視覚表示を含む。
【００４５】
[0046]特定の実施態様において、伝達手段は、ウエブサイトにおける表示、視覚表示広告掲示用柱、パンフレット、製品ラベル、包装添付文書、広告、ちらし、公表、音声テープ、ビデオテープ、ＤＶＤ、ＣＤ−ＲＯＭ、コンピュータ読取用チップ、コンピュータ読取用カード、コンピュータ読取用ディスク、ＵＳＢデバイス、ファイヤーワイヤ（ＦｉｒｅＷｉｒｅ）デバイス、コンピュータメモリ及びこれらの任意の組み合わせである。
【００４６】
[0047]有用な情報は、（１）悪臭制御組成物／動物用トイレ砂を使用するように動物を訓練又は適応させる方法及び技術、（２）悪臭制御組成物／動物用トイレ砂の機能的又は他の特性、並びに（３）悪臭制御組成物／動物用トイレ砂及びこれらの使用についての疑問がある場合に消費者又は他の人により使用される連絡先の１つ又は複数を含む。有用な説明書は、悪臭制御組成物／動物用トイレ砂を清浄及び処分する方法を含む。伝達手段は、悪臭制御組成物／動物用トイレ砂を使用する利益を説明するため及び悪臭制御組成物／動物用トイレ砂を動物に使用する承認された方法を伝達するために有用である。
【００４７】
[0048]別の態様において、本発明は、本発明の悪臭制御組成物又は動物用トイレ砂を含有するのに有用な包装を提供する。１つの実施態様において、包装は、本発明の悪臭制御組成物を収容するのに適した少なくとも１つの材料と、材料に貼り付けられたラベルとを含み、包装がそのような悪臭制御組成物を収容していることを示す、１つ若しくは複数の語、絵、図案、頭字語、標語、語句又は他の模様、又はこれらの組み合わせ、例えば、悪臭制御組成物の密度並びに／又は悪臭制御組成物の物理的、機能的及び関連する特性についての情報、を含む。典型的には、そのような装置は、語「臭気を制御する」若しくは「悪臭制御組成物」又は同等の表現を材料に印刷して含む。好ましい実施態様において、包装は、１種又は複数の本発明の悪臭制御組成物を更に含む。別の実施態様において、包装は、本発明の動物用トイレ砂を含有するのに適した少なくとも１つの材料と、材料に貼り付けられたラベルとを含み、包装がそのような動物用トイレ砂を収容することを示す、１つ若しくは複数の語、絵、図案、頭字語、標語、語句又は他の模様、又はこれらの組み合わせを含む。
【００４８】
[0049]典型的には、そのような装置は、語「悪臭制御のための動物用トイレ砂」若しくは「臭気を低減する」又は同等の表現を材料に印刷して含む。好ましい実施態様において、包装は、１種又は複数の本発明の動物用トイレ砂、例えば動物用トイレ砂の密度並びに／又は動物用トイレ砂の物理的、機能的及び関連する特性についての情報）を更に含む。
【００４９】
[0050]悪臭制御組成物及び動物用トイレ砂を含有するのに適した任意の包装形態及び包装材料が本発明に有用であり、例えば、紙、プラスチック、ホイル、金属などから製作されるバッグ、ボックス、ビン、缶、小袋などである。多様な実施態様において、包装は、包装を開封することなく包装の内容を見ることを可能にする少なくとも１つの窓を更に含む。幾つかの実施態様において、窓は、包装材料の透明な部分である。他では、窓は、包装材料の欠けている部分である。
【００５０】
[0051]ある態様において、本発明は、悪臭のある廃棄物を管理する方法を提供する。方法は、悪臭のある廃棄物を、本明細書の実施態様のいずれかに記載されている１種又は複数の悪臭制御組成物と接触させるステップを含む。好ましい実施態様において、悪臭のある廃棄物は、動物の排泄物、好ましくはイヌ又はネコの排泄物である。幾つかの実施態様において、方法は、悪臭制御組成物を処分するステップを更に含む。
【００５１】
[0052]別の態様において、本発明は、動物の排泄物を管理する方法を提供する。方法は、動物の排泄物を、本明細書の実施態様のいずれかに記載されている動物用トイレ砂と接触させるステップを含む。幾つかの実施態様において、方法は、動物用トイレ砂を処分するステップを更に含む。一般に、悪臭制御組成物／動物用トイレ砂は、トイレボックス又は他の適切な容器に入れられ、動物は、排泄物（尿又は糞便）を、悪臭制御組成物／動物用トイレ砂と接触するように排泄することが可能である。望ましい場合、悪臭制御組成物／動物用トイレ砂を、排泄物が例えば芝地に排泄された後に、排泄物と接触して置くことができる。
【００５２】
[0053]他の態様において、本発明は悪臭を制御する方法を提供する。方法は、悪臭物質を本発明の少なくとも１つの悪臭制御組成物に曝露することを含む。
【００５３】
[0054]他の態様において、本発明は動物の排泄物からの悪臭を制御する方法を提供する。方法は、動物の排泄物を本発明の少なくとも１つの悪臭制御組成物に曝露するステップを含む。
【００５４】
[0055]他の態様において、本発明は動物の排泄物からの悪臭を制御する方法を提供する。方法は、動物の排泄物を本発明の少なくとも１つの動物用トイレ砂に曝露するステップを含む。これらの態様において、材料又は排泄物を曝露することは、材料若しくは排泄物を悪臭制御組成物若しくはトイレ砂と接触させること又は材料若しくは排泄物を悪臭制御組成物若しくはトイレ砂に近接して置くことを意味する。
【００５５】
[0056]悪臭物質及び排泄物には、望ましくない臭気を有する任意の物質が含まれる。例には、ブタ、ウシ、ウマ、ヒツジ、イヌ、ネコ及び他の動物からの動物排泄物が含まれる。悪臭物質には、ゴミ、埋立地の廃棄物、悪臭ガスなども含まれる。
【００５６】
［実施例］
[0057]本発明を以下の実施例により更に説明することができるが、実施例は、特に特定的に示されない限り、単に説明の目的のために挙げられるものであり、本発明の範囲を限定することを意図しないことが理解される。
【００５７】
実施例１
[0058]トイレ砂配合物Ａ１は、以下の特性：密度＝４０〜４７ｌｂｆｔ３、粒径分布＝４〜６０メッシュ及びランダム形状粒子の１４２．５グラムの従来の粘土トイレ砂Ａを、以下の特性：比表面積＝８００〜１０００ｍ２／ｇ、孔容積＝１〜１．１ｍｌ／ｇ、比重＝１．０４ｇ／ｍｌ、球状ビーズ＝１６〜５０メッシュ、孔径ｄ５０（メソ孔及びマクロ孔）＝８５〜９５ｎｍ及びｄ５０（ミクロ孔）＝１．５ｎｍ並びに強塩基官能性の７．５グラムの塩基処理多孔質架橋ポリスチレンビーズ（ハイパーゾル−マクロネット（Ｈｙｐｅｒｓｏｌ−Ｍａｃｒｏｎｅｔ）樹脂ＭＮ−４００、ピュロライト社（Ｐｕｒｏｌｉｔｅ  Ｃｏｍｐａｎｙ）)と混合する（５重量％のビーズ）ことにより調製した。
【００５８】
[0059]２０グラムのネコ糞便物及び２０ｍｌのネコ尿を、１５０グラムのトイレ砂配合物Ａに加えた（糞便物は粘土粒子で埋められた／覆われた）。２日後、糞便物をトイレ砂配合物Ａ１から取り出し、汚れたトイレ砂配合物Ａを十分に撹拌した。３グラムのそのような汚れたトイレ砂配合物を、汚れたトイレ砂のヘッドスペースのＧＣ−ＭＳ評価のためにバイアルに入れた。トイレ砂のヘッドスペースの試料採取は、ＳＰＭＥ繊維（ＰＡＤＳ／ＣＡＲ／ＤＡＢ）により８０℃の温度で３０分間実施した。ＳＰＭＥ繊維からの抽出化合物を２５０℃で脱着した後、非極性カラム（ＨＰ−１ｍｓ）を使用するＧＣ作動を実施し、ＭＳ検出器をヘッドスペース化合物の同定に使用した。
【００５９】
[0060]対照試料Ａは、トイレ砂配合物Ａ１について上記に記載されたものと同じ方法で糞便物及び尿で処理した１５０グラムの従来の粘土トイレ砂Ａにより調製し、ＧＣ−ＭＳヘッドスペース分析により評価した。対照試料Ａ及び汚れたトイレ砂配合物Ａ１の汚れたトイレ砂ヘッドスペースのＧＣ−ＭＳ分析評価の結果を、表１及び表２にそれぞれ提示する。ピークライブラリー（ピークの質≧８０％）と良好に適合したクロマトグラフィーピークのみが表に提示される。
【表１】
2013544125.tif 000003
【表２】
2013544125.tif 000004
【００６０】
[0061]表１及び２を参照すると、データは、対照試料Ａ（表１）の汚れたトイレ砂ヘッドスペースに存在する臭気のある化合物と臭気のない化合物のほとんどの化合物が、トイレ砂配合物Ａ１（表２）に存在する多孔質ビーズにより吸収／吸着されることを示す。空気ヘッドスペース試料採取（抽出）温度が８０℃であっても（トイレ砂配合物を８０℃で加熱することを意味する）、使用したビーズの孔から「トラップされた」化合物の放出（脱着）をもたらさなかった。したがって、適切な孔径、孔径分布及び表面活性を有する多孔質ビーズは、トイレボックスの悪臭を成功裏に制御することができる。
【００６１】
実施例２
[0062]トイレ砂配合物Ｂ１は、以下の特性：密度＝４６〜５２ｌｂ／ｆｔ３、粒径分布＝４〜６０メッシュ及びランダム形状粒子の１６１．５グラムの従来の粘土トイレ砂Ｂ（実施例１に使用された従来の粘土トイレ砂Ａと化学組成が有意に異なる）を、以下の特性：比表面積＝８００〜１０００ｍ２／ｇ、孔容積＝１〜１．１ｍｌ／ｇ、比重＝１．０４ｇ／ｍｌ、球状ビーズ＝１６〜５０メッシュ、孔径ｄ５０（メソ孔及びマクロ孔）＝８５〜９５ｎｍ及びｄ５０（ミクロ孔）＝１．５ｎｍの８．５グラムの塩基処理多孔質架橋ポリスチレンビーズ（ハイパーゾル−マクロネット樹脂ＭＮ−４００、ピュロライト社)（５重量％のビーズ）と混合することにより調製した。
【００６２】
[0063]トイレ砂配合物Ｂ１を、実施例１に記載されたトイレ砂配合物Ａ１と同じ方法によりネコ糞便物及び尿で処理した。汚れたトイレ砂配合物Ｂ１のＧＣ−ＭＳヘッドスペース分析は、実施例１に記載された手順を使用して実施した。
【００６３】
[0064]対照試料Ｂは、ネコ排泄物で処理した１７０グラムの従来の粘土トイレ砂Ｂで調製し、実施例１に記載されたようにＧＣ−ＭＳにより分析した。対照試料Ｂ及びトイレ砂配合物Ｂ１のヘッドスペース組成のＧＣ−ＭＳ分析の結果を、表３及び表４にそれぞれ提示する。
【表３】
2013544125.tif 000005
【表４】
2013544125.tif 000006
【００６４】
[0065]表３及び４を参照すると、データは、対照試料Ｂ（表３）の汚れたトイレ砂ヘッドスペースに存在する臭気のある化合物と臭気のない化合物のほとんどの化合物が、トイレ砂配合物Ｂ１（表４）に存在する多孔質ビーズにより吸収／吸着されることを示す。空気ヘッドスペース試料採取（抽出）温度が８０℃であっても（トイレ砂配合物を８０℃で加熱することを意味する）、使用したビーズの孔から「トラップされた」化合物の放出（脱着）をもたらさなかった。したがって、適切な孔径、孔径分布及び表面活性を有する多孔質ビーズは、トイレボックスの悪臭を成功裏に制御することができる。
【００６５】
実施例３
[0066]トイレ砂配合物Ａ２−１は、１４２．５グラムの従来の粘土トイレ砂Ａ（実施例１に記載）を、以下の特性：比表面積＝８００〜１０００ｍ２／ｇ、孔容積＝１〜１．１ｍｌ／ｇ、比重＝１．０４ｇ／ｍｌ、球状ビーズ＝１６〜５０メッシュ、孔径ｄ５０（メソ孔及びマクロ孔）＝８５〜９５ｎｍ、及びｄ５０（ミクロ孔）＝１．５ｎｍの７．５グラムの非官能化（疎水性）多孔質架橋ポリスチレンビーズ（ハイパーゾル−マクロネット樹脂ＭＮ−２００、ピュロライト社)と混合する（５重量％のビーズ）ことにより調製した。そのような配合物を実施例１に記載されたようにネコ糞便物及び尿で処理し、ＧＣ−ＭＳ分析で評価した。ヘッドスペース組成の結果を表５に提示する。
【表５】
2013544125.tif 000007
【００６６】
[0067]表５を参照すると、データは、対照試料Ａ（表１）の汚れたトイレ砂ヘッドスペースに存在する臭気のある化合物と臭気のない化合物のほとんどの化合物が、トイレ砂配合物Ａ２−１（表５）に存在する多孔質ビーズにより吸収／吸着されることを示し、ここで多孔質ビーズは、試料Ａ２（表２）と同様の物理的特性のものであるが、より疎水性があるものであった。ここでも、適切な孔径、孔径分布及び表面活性を有する多孔質ビーズは、トイレボックスの悪臭を成功裏に制御できることを示している。
【００６７】
実施例４
[0068]トイレ砂配合物Ａ３は、１４２．５グラムの従来の粘土トイレ砂Ａ（実施例１に記載）を、以下の特性：比表面積＝８００〜１０００ｍ２／ｇ、孔容積＝０．６〜０．８ｍｌ／ｇ、比重＝１．０４ｇ／ｍｌ、球状ビーズ＝１６〜５０メッシュ、孔径ｄ５０（メソ孔及びマクロ孔）＝３０〜４０ｎｍ、及びｄ５０（ミクロ孔）＝１．４ｎｍの７．５グラムの非官能化（疎水性）多孔質架橋ポリスチレンビーズ（ハイパーゾル−マクロネット樹脂ＭＮ−２５０、ピュロライト社)と混合する（５重量％のビーズ）ことにより調製した。そのような配合物を実施例１に記載されたようにネコ糞便物及び尿で処理して、ＧＣ−ＭＳ分析で評価し、ヘッドスペース組成の結果を表６に提示する。
【表６】
2013544125.tif 000008
【００６８】
[0069]表６を参照すると、データは、対照試料Ａ（表１）の汚れたトイレ砂ヘッドスペースに存在する臭気のある化合物と臭気のない化合物のほとんどの化合物が、トイレ砂配合物Ａ３に存在する多孔質ビーズにより吸収／吸着されることを示し、ここで、多孔質ビーズは、試料Ａ２（表２）よりもわずかに低い多孔性のものであるが、より疎水性があるものであった。したがって、適切な孔径、孔径分布及び表面活性を有する多孔質ビーズは、トイレボックスの悪臭を成功裏に制御することができる。
【００６９】
実施例５
[0070]トイレ砂配合物Ａ４は、１４２．５グラムの従来の粘土トイレ砂Ａ（実施例１に記載）を、以下の特性：密度＝０．３２ｇ／ｍＬ、比表面積＝５２５ｍ２／ｇ、粒径分布＝８０〜１００メッシュの７．５グラムの中程度に極性のジビニルベンゼンＮ−ビニルピロリジンビーズ（ポラパック（Ｐｏｒａｐａｋ）Ｒ、ウォーター社（Ｗａｔｅｒ  Ｃｏｒｐ））と混合することにより調製した。
【００７０】
[0071]そのような配合物を実施例１に記載されたようにネコ糞便物及び尿で処理して、ＧＣ−ＭＳ分析で評価し、ヘッドスペース組成の結果を表７に提示する。
【表７】
2013544125.tif 000009
【００７１】
[0072]表７を参照すると、データは、より極性があるが、その他の点では同様の物理的特性のビーズが、実施例１〜４、６及び７のより疎水性のビーズと比較したとき、対照試料Ａ（表１）において見出される悪臭化合物と同じぐらい吸収／吸着しないことを示す。これらのビーズはトイレボックスにおいて悪臭を制御しない。
【００７２】
実施例６
[0073]トイレ砂配合物Ｂ２−１は、１６１．５グラムの従来の粘土トイレ砂Ｂ（実施例２に記載）を、以下の特性：比表面積＝８００〜１０００ｍ２／ｇ、孔容積＝１〜１．１ｍｌ／ｇ、比重＝１．０４ｇ／ｍｌ、球状ビーズ＝１６〜５０メッシュ、孔径ｄ５０（メソ孔及びマクロ孔）＝８５〜９５ｎｍ、及びｄ５０（ミクロ孔）＝１．５ｎｍの８．５グラムの非官能化（疎水性）多孔質架橋ポリスチレンビーズ（ハイパーゾル−マクロネット樹脂ＭＮ−２００、ピュロライト社）（５重量％のビーズ）と混合することにより調製した。そのような配合物を実施例１に記載されたようにネコ糞便物及び尿で処理して、ＧＣ−ＭＳ分析で評価し、ヘッドスペース組成の結果を表８に提示する。
【表８】
2013544125.tif 000010
【００７３】
[0074]表８を参照すると、データは、対照試料Ｂ（表３）の汚れたトイレ砂ヘッドスペースに存在する臭気のある化合物と臭気のない化合物のほとんどの化合物が、トイレ砂配合物Ｂ２−１（表８）に存在する多孔質ビーズにより吸収／吸着されることを示し、ここで、多孔質ビーズは、試料Ｂ２（表４）と同様の物理的特性のものであるが、より疎水性があるものであった。したがって、そのようなビーズは、トイレボックスにおいて悪臭を成功裏に制御することができる。
【００７４】
実施例７
[0075]トイレ砂配合物Ｂ３は、１６１．５グラムの従来の粘土トイレ砂Ｂ（実施例２に記載）を、以下の特性：比表面積＝８００〜１０００ｍ２／ｇ、孔容積＝０．６〜０．８ｍｌ／ｇ、比重＝１．０４ｇ／ｍｌ、球状ビーズ＝１６〜５０メッシュ、孔径ｄ５０（メソ孔及びマクロ孔）＝３０〜４０ｎｍ、及びｄ５０（ミクロ孔）＝１．４ｎｍの８．５グラムの非官能化（疎水性）多孔質架橋ポリスチレンビーズ（ハイパーゾル−マクロネット樹脂ＭＮ−２５０、ピュロライト社）（５重量％のビーズ）と混合することにより調製した。そのような配合物を実施例１に記載されたようにネコ糞便物及び尿で処理して、ＧＣ−ＭＳ分析で評価し、ヘッドスペース組成の結果を表９に提示する。
【表９】
2013544125.tif 000011
【００７５】
[0076]表９を参照すると、データは、対照試料Ｂ（表３）の汚れたトイレ砂ヘッドスペースに存在する臭気のある化合物と臭気のない化合物のほとんどの化合物が、トイレ砂配合物Ｂ３に存在する多孔質ビーズにより吸収／吸着されることを示し、ここで、多孔質ビーズは、試料Ｂ２（表４）よりもわずかに低い多孔性のものであるが、より疎水性があるものであった。したがって、そのようなビーズは、トイレボックスにおいて悪臭を成功裏に制御することができる。
【００７６】
実施例８
[0077]トイレ砂配合物Ｂ４は、１６１．５グラムの従来の粘土トイレ砂Ｂ（実施例２に記載）を、以下の特性：密度＝０．３２ｇ／ｍＬ、比表面積＝５２５ｍ２／ｇ、及び粒径分布＝８０〜１００メッシュの８．５グラムの中程度に極性のジビニルベンゼンＮ−ビニルピロリジンビーズ（ポラパックＲ、ウォーター社）と混合することにより調製した。そのような配合物を実施例１に記載されたようにネコ糞便物及び尿で処理して、ＧＣ−ＭＳ分析で評価し、ヘッドスペース組成の結果を表１０に提示する。
【表１０】
2013544125.tif 000012
【００７７】
[0078]表１０を参照すると、データは、より極性があるが、その他の点では同様の物理的特性のビーズが、実施例１〜４、６及び７のより疎水性のビーズと比較したとき、対照試料Ｂ（表３）において見出される悪臭化合物と同じぐらい吸収／吸着しないことを示す。したがって、これらのビーズはトイレボックスにおいて悪臭を制御しない。
【００７８】
[0079]同様の結果が、粘土トイレ砂Ａ又は粘土トイレ砂Ｂに添加されたより低い濃度の多孔質ビーズ（２〜３重量％のビーズ）で得られる。また、表１１に提示された他の多孔質材料を試験し、試験した従来の粘土トイレ砂Ａ及びＢで使用したとき、十分な悪臭制御能力を示した。
【表１１】
2013544125.tif 000013
【００７９】
[0080]本明細書では、本発明の典型的に好ましい実施態様が開示されており、特定の用語が用いられているが、総称的で記述的な意味でのみ使用されており、限定することを目的としていない。当然のことながら、本発明の多くの修正及び変更が上記の教示を考慮すると可能である。したがって、本発明を、特定的に記載された以外の別の方法で実施できることが理解されるべきである。
【００８０】
[0081]  特に定義されない限り、本明細書に使用される全ての技術及び科学用語、並びに任意の頭字語は、本発明の分野の当業者により一般的に理解されるものと同じ意味を有する。本明細書に記載されたものと同様又は等価な情報を伝達するための任意の組成物、方法及び手段を使用して、本発明を実施することができるが、情報を伝達する好ましい組成物、方法及び手段が本明細書に記載されている。
【００８１】
[0082]上記に引用された全ての参考文献は、法律によって認められる程度に参照として本明細書に組み込まれる。これらの参考文献の考察は、参考文献の著者によりなされた主張を単にまとめることが意図される。任意の参考文献（又は任意の参考文献の一部）が関連する先行技術であるということを承認するものではない。出願人らは、任意の引用参考文献の正確性及び妥当性について異議申し立てする権利を保有する。
【図１】
2013544125.tif 000014
【図２】
2013544125.tif 000015
【国際調査報告】
2013544125.tif 000016
2013544125.tif 000017